(57)【要約】【課題】  サブアンテナを電波到来検知用の専用アンテナとして用いて、受信特性が劣化した状態でも電波到来方向を検知し、その情報をユーザに報知して、ユーザ自ら受信条件の良い方向に携帯電話機の向きを変えさせる。【解決手段】  携帯端末の備えたメインアンテナ２で基地局からの入来信号を受信するメイン受信部９と、携帯端末の備えた複数の検知アンテナ３，４で基地局からの入来信号を受信するサブ受信部１０，１１と、前記メインアンテナ２の受信レベル情報と、前記検知アンテナ３，４の受信レベル情報と、前記検知アンテナ３，４の指向性情報とに基づいて、携帯端末の電波環境における基地局信号の到来方向を検知する検知部（１３）と、前記検知部で検知された基地局信号の到来方向の情報を報知する報知部（５，１６，１７）とを有している。【選択図】        図２
2006166363.tif 000002
【特許請求の範囲】
【請求項１】
携帯端末の備えたメインアンテナで基地局からの入来信号を受信するメイン受信部と、
携帯端末の備えた複数の検知アンテナで基地局からの入来信号を受信するサブ受信部と、
前記メインアンテナの受信レベル情報と、前記検知アンテナの受信レベル情報と、前記検知アンテナの指向性情報とに基づいて、携帯端末の電波環境における基地局信号の到来方向を検知する検知部と、
前記検知部で検知された基地局信号の到来方向の情報を報知する報知部とを有することを特徴とする携帯端末。
【請求項２】
請求項１に記載の前記報知部は、前記基地局信号の到来方向の情報に受信レベル情報を付加して報知することを特徴とする携帯端末。
【請求項３】
請求項１に記載の前記検知部は、前記検知アンテナの受信レベルに対して前記メインアンテナの受信レベルが低下した差分情報と、前記検知アンテナの指向性情報とに基づいて、携帯端末の電波環境における基地局信号の到来方向を検知することを特徴とする携帯端末。
【請求項４】
請求項１に記載の前記報知部は、前記差分情報が閾値以下である場合に、基地局信号の到来方向の情報に受信レベル情報を付加して報知することを特徴とする携帯端末。
【請求項５】
請求項４に記載の前記報知部は、前記差分情報が閾値以上である場合に、前記報知に代えて、基地局信号の電界レベル表示を行うことを特徴とする携帯端末。
【請求項６】
請求項１に記載の前記報知部は、携帯端末本体を振動させて前記情報を報知することを特徴とする携帯端末。
【請求項７】
前記報知部は、前記情報を聴覚情報として報知することを特徴とする請求項１に記載の携帯端末。
【請求項８】
請求項１に記載の前記報知部は、前記情報を視覚情報として報知することを特徴とする携帯端末。
【請求項９】
請求項１に記載の前記複数の検知アンテナは、その指向性の方向を異ならせて配置されていることを特徴とする携帯端末。
【請求項１０】
携帯端末の備えたメインアンテナで基地局からの入来信号を受信するメイン受信ステップと、
携帯端末の備えた複数の検知アンテナで基地局からの入来信号を受信するサブ受信ステップと、
前記メインアンテナの受信レベル情報と、前記検知アンテナの受信レベル情報と、前記検知アンテナの指向性情報とに基づいて、携帯端末の電波環境における基地局信号の到来方向を検知する検知ステップと、
前記検知ステップで検知された基地局信号の到来方向の情報を報知する報知ステップとを有することを特徴とする携帯端末通信方法。
【請求項１１】
請求項１に記載の前記報知ステップにおいて、
前記基地局信号の到来方向の情報に受信レベル情報を付加して報知することを特徴とする携帯端末通信方法。
【請求項１２】
請求項１０に記載の前記検知ステップにおいて、
前記検知アンテナの受信レベルに対して前記メインアンテナの受信レベルが低下した差分情報と、前記検知アンテナの指向性情報とに基づいて、携帯端末の電波環境における基地局信号の到来方向を検知することを特徴とする携帯端末通信方法。
【請求項１３】
請求項１０に記載の前記報知ステップにおいて、
前記差分情報が閾値以下である場合に、基地局信号の到来方向の情報に受信レベル情報を付加して報知することを特徴とする携帯端末通信方法。
【請求項１４】
請求項１３に記載の前記差分情報が閾値以上である場合に、前記報知に代えて、基地局信号の電界レベル表示を行うことを特徴とする携帯端末通信方法。
【発明の詳細な説明】
【技術分野】
【０００１】
本発明は、電波環境が袋小路の場合にも、通信品質の低下を必要最小限に抑えて通信を行う携帯端末及び携帯端末通信方法に関する。
【背景技術】
【０００２】
携帯電話機には、複数のアンテナを備えてダイバーシティ効果を有するものが存在する。
【０００３】
ところで、基地局はサービスエリア内で電波を発信し、その電波を使って携帯電話機との間に通話チャネルを形成する。この基地局から発信される電波は、その指向性が強く、電波の到来方向によっては携帯電話機での受信状態が変動する場合がある。
【０００４】
一方、携帯電話機について説明すると、携帯電話機は、ユーザが携帯に便利なように片手で握りやすいように細長い形状に形成されている。そして携帯電話機は、受話器が細長形状の電話機本体の一端に組み込まれ、その反対側の他端にアンテナを内蔵している。この配置は、アンテナで送受信される電波がユーザに悪影響を与えること等を回避するために規定されるものである。
【０００５】
以上説明した携帯電話機の特性上、通話,メール作成等のポジションを取った場合に携帯電話機に内蔵されたアンテナの一部がユーザ（誘電体）の手で隠れることとなり、アンテナ特性が変化する。
【０００６】
以上のように、携帯電話機内蔵のアンテナがユーザの手で隠れた場合、或いは基地局からの電波到来方向に対して携帯電話機内蔵のアンテナの向きが不適切な場合に、アンテナの受信特性が劣化する。この場合において、基地局からの電波到来方向がその劣化方向のみであると、着信率が著しく劣化する場合が生じる。
【０００７】
従来、基地局からの電波到来方向が劣化方向のみである場合でも、携帯電話機での着信率を劣化させないためには、サブアンテナにもメインアンテナ同等の機能を持たせ、受信レベルの良い方へ切り替えて使用する方法が取られている（例えば、特開２００２−１３５０２３号，特開２００３−２６４４１７号等）。
【０００８】
【特許文献１】特開２００２−１３５０２３号
【特許文献２】特開２００３−２６４４１７号
【発明の開示】
【発明が解決しようとする課題】
【０００９】
上述した従来採用されている方法では、サブアンテナにメインアンテナ同等の性能を持たせることが必要であるため、携帯電話機に組み込む部品点数が多くなり、それに伴って携帯電話機の重量が嵩張るとともに、携帯電話機内での部品設置に必要な設置スペースを増やす必要がある。このことは、携帯電話機の特性にそれなりの犠牲を払う必要があり、携帯電話機の商品性にマイナス要素となってしまうという課題があった。
【００１０】
本発明の目的は、サブアンテナを電波到来検知用の専用アンテナとして用いて、受信特性が劣化した状態でも電波到来方向を検知し、その情報をユーザに報知して、ユーザ自ら受信条件の良い方向に携帯電話機の向きを変えさせることを促す携帯端末及び携帯端末通信方法を提供することにある。
【課題を解決するための手段】
【００１１】
前記目的を達成するため、本発明に係る携帯端末は、携帯端末の備えたメインアンテナで基地局からの入来信号を受信するメイン受信部と、携帯端末の備えた複数の検知アンテナで基地局からの入来信号を受信するサブ受信部と、前記メインアンテナの受信レベル情報と、前記検知アンテナの受信レベル情報と、前記検知アンテナの指向性情報とに基づいて、携帯端末の電波環境における基地局信号の到来方向を検知する検知部と、前記検知部で検知された基地局信号の到来方向の情報を報知する報知部とを有することを特徴とするものである。前記複数の検知アンテナは、その指向性の方向を異ならせて配置される。
【００１２】
本発明に係る携帯端末を使って通信を行うには、携帯端末の備えたメインアンテナで基地局からの入来信号を受信するとともに、携帯端末の備えた複数の検知アンテナで基地局からの入来信号を受信する。そして、前記メインアンテナの受信レベル情報と、前記検知アンテナの受信レベル情報と、前記検知アンテナの指向性情報とに基づいて、携帯端末の電波環境における基地局信号の到来方向を検知する。必要に応じて検知された基地局信号の到来方向の情報を報知する。
【００１３】
前記報知部は、必要に応じて前記基地局信号の到来方向の情報に受信レベル情報を付加して報知する。また前記検知部は、前記検知アンテナの受信レベルに対して前記メインアンテナの受信レベルが低下した差分情報と、前記検知アンテナの指向性情報とに基づいて、携帯端末の電波環境における基地局信号の到来方向を検知する。
【００１４】
また前記報知部は、前記差分情報が閾値以下である場合に、基地局信号の到来方向の情報に受信レベル情報を付加して報知する。前記報知部は、前記差分情報が閾値以上である場合に、前記報知に代えて、基地局信号の電界レベル表示を行う。
【００１５】
前記報知部による報知は、携帯端末本体を振動させて前記情報を報知する、或いは前記情報を聴覚情報として報知する、或いは前記情報を視覚情報として報知する。
【発明の効果】
【００１６】
以上説明したように、本発明によれば、基地局からの電波到来方向を検知し、ユーザにその情報を報知し、ユーザ自らが受信条件の良い方向に携帯端末の向きを変えさせることを促すことにより、電波環境が袋小路である場合にも通信品質の劣化を必要最小限に抑えて通信を行うことができる。
【００１７】
さらに本発明によれば、メインアンテナに付加される検知アンテナを、電波到来方向を検知するものと割り切り、受信性能を落とすことを許容して電波到来方向を検知するため、検知アンテナを備えたことによる携帯端末の商品性マイナスを最小限に抑えて、軽量，小型を実現することができるとともに、受信特性を確保することができる。
【発明を実施するための最良の形態】
【００１８】
以下、本発明の実施形態を図により説明する。
【００１９】
本発明の実施形態に係る携帯端末は基本的構成として、携帯端末の備えたメインアンテナで基地局からの入来信号を受信するメイン受信部と、携帯端末の備えた複数の検知アンテナで基地局からの入来信号を受信するサブ受信部と、前記メインアンテナの受信レベル情報と、前記検知アンテナの受信レベル情報と、前記検知アンテナの指向性情報とに基づいて、携帯端末の電波環境における基地局信号の到来方向を検知する検知部と、前記検知部で検知された基地局信号の到来方向の情報を報知する報知部とを有することを特徴とするものである。
【００２０】
そして携帯端末の備えたメインアンテナで基地局からの入来信号を受信し、携帯端末の備えた複数の検知アンテナで基地局からの入来信号を受信する。そして前記メインアンテナの受信レベル情報と、前記検知アンテナの受信レベル情報と、前記検知アンテナの指向性情報とに基づいて、携帯端末の電波環境における基地局信号の到来方向を検知する。さらに前記検知された基地局信号の到来方向の情報を報知する。
【００２１】
次に本発明の実施形態を具体的に説明する。以下の説明では、携帯端末として携帯電話機を用いた場合について説明するが、携帯端末としては携帯電話機に限られるものではない。要は携帯端末がアンテナにより電波チャネルを使用して情報の遣り取りをするものであれば、いずれのものでもよい。
【００２２】
図１（ａ）に示すように本発明の実施形態に係る携帯端末としての携帯電話機は、１本のメインアンテナ２と、２本の検知アンテナ３，４とを携帯電話本体１に備えている。
【００２３】
図１（ａ）に示す携帯電話本体１は、ほぼ中央部で２つのケース１ａ，１ｂに分離され、その分離されたケース１ａ，１ｂが図示しないヒンジで開閉可能に連結されている。一方のケース１ａには表示部５が組み込まれ、他方のケース１ｂには操作部６が組み込まれている。携帯電話本体１は、着信待機時に２つのケース１ａ，１ｂが２つ折りに畳まれる。
【００２４】
一方のケース１ａには受話器７が組み込まれ、他方のケース１ｂには送話器８が組み込まれ、送話器８側のケース１ｂ内にはメインアンテナ２が組み込まれている。受話器６側のケース１ａには、２本の検知アンテナ３，４が表示部５を挟んで左右に分離して取付けられている。一般に携帯電話機は、通話，メール作成等の通信ポジションをとる場合に、図５（ａ）に示すようにユーザ２１は携帯電話本体１のケース１ｂを握って操作することが多い。したがって、携帯電話本体１のケース１ｂに内蔵したアンテンナ２はユーザ２１の手で覆われる場合が多く、アンテナ特性が劣化する場合が多い。これに対して、携帯電話機の特性上、携帯電話本体１のケース１ａはユーザ２１の手で覆われることは稀であり、検知アンテナ３，４は携帯電話本体１のケース１ａに組み込まれているから、携帯電話機の操作に伴うアンテナ特性の劣化が引き起こされることはない。これらの検知アンテナ３，４は、携帯電話機の携帯に支障にならないようにテレスコピックアンテナを用いる。
【００２５】
さらに携帯電話本体１のケース１ａ，１ｂ内には図２に示すように、送受信部９と、２つの受信部１０，１１と、ベースバンド（ＢＡＳＥ  ＢＡＮＤ）LSI１２と、ＣＰＵ１３と、メモリ１４と、周辺制御装置１５と、バイブレータ１６と、スピーカ１７と、マイクロフォン１８とが組み込まれている。そして、ＣＰＵ１３は、表示部５、操作部６、送受信部９、２つの受信部１０，１１、ベースバンドLSI１２、メモリ１４、切換スイッチ２２及び周辺制御装置１５にバス１９を通して接続されている。
【００２６】
前記送受信部９はメインアンテナ２に接続され、受信時に基地局からの電波をメインアンテナ２で受信し、送信時にメインアンテナから情報を基地局に送信する。２つの受信部１０，１１は基地局からの電波を検知アンテナ３，４でそれぞれ受信する。切換スイッチ２２は、送受信部９、受信部１０，１１を選択してベースバンドLSI１２に接続する。送受信部９はメインアンテナ２により基地局との間に情報の遣り取りを行うものである。これに対して、検知アンテナ３，４は、基地局との間に情報の遣り取りを行うものではなく、基地局からの電波到来方向を検知するためのものであると割り切って用いているため、これに対応して用いられる受信部１０，１１の性能は送受信部９と同等の性能を要求されることはなく、送受信部９と比較して外形寸法を小型化できる。したがって、受信部１０，１１を付加したことにより携帯電話本体１のサイズの大型化を回避することができるものである。
【００２７】
さらに検知アンテナ３，４は、その指向性の方向を異ならせて配置されている。具体的に説明すると、本実施形態では、２本の検知アンテナ３，４を用いている。前記２本の検知アンテナ３，４は図５（ｂ）に示すように、携帯電話本体１に左右に離して取付けられ、その指向性３ａ，４ａを携帯電話本体１の左右方向に異ならせて配置している。このため、図５（ｂ）の右側の検知アンテナ４は、携帯電話本体１の右側方向から入来する基地局からの電波Ｒに対して高い受信感度を示す。逆に左側の検知アンテナ３は、携帯電話本体１の左側方向から入来する基地局からの電波Ｌに対して高い受信感度を示す。これらのアンテナ３，４の指向性情報に基づいて、携帯電話本体１に対する電波到来方向を検知することが可能となる。
【００２８】
なお、図５（ｂ）の例では、アンテナ３，４として、指向パターンが携帯電話本体１の左右方向からの電波に対して高い受信感度をもつアンテナを用いたため、アンテナ３，４の指向性を左右に向けて配置したが、これに限られるのではない。アンテナ３，４の指向パターンが携帯電話本体１の左，右方向に加えて、前方の電波をカバー可能なものであれば、その方向に指向性の方向を向けて配置するようにしてもよいものである。また複数の検知アンテナ３，４として、それぞれ構造上独立した専用のアンテナを用いたが、これに限られるものではない。複数の検知アンテナ３，４として、１本のダイポールアンテナを用い、このダイポールアンテナへの給電点を時系列で変更することにより、図５（ｂ）に示すような指向性を持たせるようにしてもよいものである。また検知アンテナ３，４の本数を２本としたが、アンテナの本数は２本に限られるものではなく、これ以上の本数であってもよい。
【００２９】
ここに、携帯端末の備えたメインアンテナで基地局からの入来信号を受信する前記メイン受信部は、送受信部９により構成される。携帯端末の備えた複数の検知アンテナで基地局からの入来信号を受信する前記サブ受信部は、受信部１０，１１により構成される。前記メインアンテナの受信レベル情報と、前記検知アンテナの受信レベル情報と、前記検知アンテナの指向性情報とに基づいて、携帯端末の電波環境における基地局信号の到来方向を検知する検知部は、ＣＰＵ１３により構成される。前記検知部で検知された基地局信号の到来方向の情報を報知する報知部は、表示部５，周辺制御装置１５，バイブレータ１６，スピーカ１８により構成される。ただし、報知部を構成する表示部５，周辺制御装置１５，バイブレータ１６，スピーカ１８は、単体、或いは適宜組み合わせて用いてもよいものである。
【００３０】
次に本発明の実施形態の動作について説明する。携帯電話機の使用時において、通話，メール作成等の通信ポジションをとる場合に、図５（ａ）に示すようにユーザ２１は携帯電話本体１のケース１ｂを握って操作することが多い。したがって、携帯電話本体１のケース１ｂに内蔵したアンテンナ２はユーザ２１の手で覆われる場合が多く、アンテナ特性が劣化する場合が多い。また図６に示すように、携帯電話機を使用する場所によっては、電波環境が袋小路の場合がある。このような電波環境が袋小路の場所としては、周囲が高い建物で囲まれた街頭，或いは地下街などの場所が考えられる。
【００３１】
以上のように、携帯電話機の握り方，使用状況等により携帯電話機の電波環境が変化してしまい、本来の通信品質での通信が行われるとは限られない。そこで、本発明は、通信品質を本来の通信品質に近づけ、電波環境が袋小路である場合にも通信品質をできるだけ高い品質に保って通信を行うようにするものである。
【００３２】
図６に示す電波環境が袋小路の場合を考えると、複数の基地局２０１〜２０４のうち、電波環境が袋小路である基地局２０１，２０２，２０３からの電波に対するアンテナの受信感度が低下するか、或いは携帯電話本体１の向きによっては基地局２０１，２０２，２０３からの電波が携帯電話機に届かない場合がある。
【００３３】
一方、電波環境の袋小路でない方向に位置する基地局２０４からの電波は、途中に電波障害物がないため、劣化することなくメインアンテナ２で受信される。したがって電波環境が袋小路の場合にも、携帯電話機のメインアンテナ２で基地局２０４からの電波を受信することができる場合がある。しかし、電波環境が袋小路の場所において、ユーザが基地局２０４からの電波の到来方向を把握することはできないものである。そこで、本発明は、携帯電話機側で電波環境が良好な基地局２０４の方向を検知して、ユーザに報知する。
【００３４】
工場出荷する前の携帯電話機のメモリ１４に必要な閾値情報を記憶させて置く。この閾値情報には、報知閾値Ｔ１と検知閾値Ｔ２とが含まれる。前記報知閾値Ｔ１は、基地局からの信号の電界レベル表示の状態と、基地局信号の到来方向の情報を報知する状態とを切換えるための閾値情報である。前記検知閾値Ｔ２は、検知アンテナ３，４の受信レベルに対してメインアンテナ２の受信レベルが低下した差分情報と比較する基準となる閾値情報である。前記報知閾値Ｔ１と検知閾値Ｔ２との関係は図４（ｃ）に示すように、Ｔ１＞Ｔ２の関係に設定する。さらに図５（ｂ）に示すように、一方の検知アンテナ３の指向性の方向は携帯電話本体１の左方向であること、他方の検知アンテナ４の指向性の方向は携帯電話本体１の右方向であることの情報をメモリ１４に記憶させて置く。なお、検知アンテナ３，４の指向性の方向を表す情報は、上記の情報に限られるものではない。
【００３５】
先ず、携帯電話本体１のメインアンテナ２により任意の基地局からの電波を受信する。この場合、切換スイッチ２２は、ＣＰＵ１３からの指令に基づいて送受信部９とベースバンドLSI１２とを接続している。
【００３６】
ベースバンドLSI１２は、メインアンテナ２で受信された受信信号を復調し、その復調信号をＣＰＵ１３の制御の下にメモリ１４に出力する。メモリ１４は、その復調信号に関する情報を記憶する。ＣＰＵ１３は、メモリ１４に記憶されている報知閾値Ｔ１の情報を読み出すとともに、メインアンテナ２で受信されて復調された前記復調信号の情報を読み出し、前記復調信号の情報と前記報知閾値Ｔ１とを比較し、メインアンテナ２の受信感度が報知閾値Ｔ１以下であるか否かを判定する（図３のステップＳ１）。
【００３７】
メインアンテナ２の受信レベル（感度）２ａが図４（ｃ）のＣ１に示すように報知閾値Ｔ１以上である場合（図３のステップＳ１，ＹＥＳ）には、ＣＰＵ１３は、メインアンテナ２の受信感度が良好である旨の判定を行い、送受信部９とベースバンドLSI１２とを接続した状態に維持するように切換スイッチ２２に通知する。この場合、表示部５は図１（ｂ）に示すように、ＣＰＵ１３による制御の下で基地局信号の電界レベル２２の表示を行う。
【００３８】
図６に示す電波環境の袋小路状態では、基地局２０１，２０２，２０３からの電波をメインアンテナ２が受信すると、その受信レベル（感度）２ａ´が図４（ｃ）のＣ２に示すように報知閾値Ｔ１より低下することとなるため（図３のステップＳ１，ＮＯ）、ＣＰＵ１３は切換スイッチ２２に、メインアンテナ２を検知アンテナ３に切換えるための指令を通知する。
【００３９】
切換スイッチ２２は、ＣＰＵ１３からのアンテナ切換の指令を受けると、メインアンテナ２での受信から検知アンテナ３での受信に切換えるために、送受信部９に代えて、受信部１０をベースバンドLSI１２に接続する。
【００４０】
アンテナ切換が行われると、検知アンテナ３は基地局からの電波を受信する。受信部１０は、検知アンテナ３の受信信号をベースバンドLSI１２に出力する。ベースバンドLSI１２は受信部１０からの受信信号を復調し、その復調信号をＣＰＵ１３の制御の下にメモリ１４に出力する。メモリ１４は、その復調信号に関する情報を記憶する。
【００４１】
ＣＰＵ１３は、メモリ１４に記憶されているメインアンテナ２による受信信号（復調信号）の受信レベル２ａ´の情報と、検知アンテナ３による受信信号（復調信号）の受信レベル４ａの情報とを読み出し、検知アンテナ３の受信レベル３ａに対してメインアンテナ２の受信レベル２ａ´が低下した差分情報Ｄ１を演算し（図４（ａ））、受信レベルの判定を行う（図３のステップＳ２）。この受信レベルの判定については、他方の検知アンテナ４の受信レベルの判定と合せて後述する。
【００４２】
ＣＰＵ１３は、前記検知アンテナ３の受信レベル判定が終了した時点で切換スイッチ２２に、検知アンテナ３での受信から検知アンテナ４での受信に切換えるためにアンテナ切換の指令を出力する。
【００４３】
切換スイッチ２２は、ＣＰＵ１３からのアンテナ切換の指令を受けると、一方の検知アンテナ３での受信から他方の検知アンテナ４での受信に切換えるために、一方の受信部１０に代えて、他方の受信部１１をベースバンドLSI１２に接続する。
【００４４】
アンテナ切換が行われると、検知アンテナ４は、検知アンテナ３に代わって、基地局からの電波を受信する。受信部１１は、検知アンテナ４の受信信号をベースバンドLSI１２に出力する。ベースバンドLSI１２は受信部１１からの受信信号を復調し、その復調信号をＣＰＵ１３の制御の下にメモリ１４に出力する。メモリ１４は、その復調信号に関する情報を記憶する。
【００４５】
ＣＰＵ１３は、メモリ１４に記憶されているメインアンテナ２による受信信号（復調信号）の受信レベル２ａ´の情報と、検知アンテナ４による受信信号（復調信号）の受信レベル４ａの情報とを読み出し、検知アンテナ４の受信レベル４ａに対してメインアンテナ２の受信レベル２ａ´が低下した差分情報Ｄ２を演算し（図４（ｂ））、受信レベルの判定を行う（図３のステップＳ３）。
【００４６】
次にＣＰＵ１３による検知アンテナ３，４の受信レベル判定の処理について説明する。ユーザ２１が携帯電話本体１のケース１ｂを右手で握り、図６に示す携帯電話機の向きで通信を開始する場合を例にとって説明する。
【００４７】
この例では、図６に示す基地局２０４からの電波を電波障害の影響を受けることなく、検知アンテナ３で受信することができる状況にある。さらに、携帯電話本体１に内蔵されたメインアンテナ２は右手で覆われているが、基地局２０４からの電波に対して受信が良好な状態にある。
【００４８】
ＣＰＵ１３は図３のステップＳ２において、メモリ１４に記憶されているメインアンテナ２による受信信号（復調信号）の情報（受信レベル２ａ´）と、検知アンテナ３による受信信号（復調信号）の情報（受信レベル３ａ）とを読み出し、検知アンテナ３の受信レベル３ａに対してメインアンテナ２の受信レベル２ａ´が低下した差分情報Ｄ１を演算する。ＣＰＵ１３は、差が生じている場合にメインアンテナ２に対して例えばユーザ２１の手などの電波障害物が存在しているとして判定する。
【００４９】
ＣＰＵ１３は図３のステップＳ３において、メモリ１４に記憶されているメインアンテナ２による受信信号（復調信号）の情報（受信レベル２ａ´）と、検知アンテナ４による受信信号（復調信号）の情報（受信レベル４ａ）とを読み出し、検知アンテナ４の受信レベル４ａに対してメインアンテナ２の受信レベル２ａが低下した差分情報Ｄ２を演算する。ＣＰＵ１３は、差が生じている場合にメインアンテナ２に対して例えばユーザ２１の手などの電波障害物が存在しているとして判定する。
【００５０】
ＣＰＵ１３は図３のステップＳ２において、差分情報Ｄ１を演算した後、メモリ１４に記憶されている検知閾値Ｔ２の情報を読み出す。ＣＰＵ１３は、読み出した検知閾値Ｔ２と差分情報Ｄ１とを比較し、差分情報Ｄ１が検知閾値Ｔ２より小さい場合（図４（ｃ）のＣ４）にメインアンテナ２の受信レベルが低下しているとして判定する。
【００５１】
図６に示す例の場合には、図３のステップＳ２において演算される差分情報Ｄ１は図４（ａ）に示すように大きく、図３のステップＳ３において演算される差分情報Ｄ２は図（ｂ）に示すように小さい。図４において、メインアンテナ２による受信レベル２ａ´を実線で示し、検知アンテナ３，４による受信レベル３ａ，４ａを破線で示している。
【００５２】
ＣＰＵ１３は図３のステップＳ３において、差分情報Ｄ１及びＤ２を演算した後、メモリ１４に記憶されている検知閾値Ｔ２の情報を読み出す。ＣＰＵ１３は、読み出した検知閾値Ｔ２と差分情報Ｄ１及び差分情報Ｄ２とを個別にそれぞれ比較する（図３のステップＳ４）。
【００５３】
ＣＰＵ１３は検知閾値Ｔ２と差分情報Ｄ１，Ｄ２とを比較した結果、差分情報Ｄ１，Ｄ２が検知閾値Ｔ２より大きい場合には（図３のステップＳ４，ＮＯ，図４（ｃ）のＣ３）、基地局信号の到来方向の情報をユーザ２１に報知する必要がないものとして判断する。この場合、確かにメインアンテナ２の受信レベル２ａ´は閾値Ｔ１より低く、通信品質は設定品質より低下するが、通信データのエラー等の障害が生じるには至らない低下であるため、ＣＰＵ１３は基地局信号の到来方向の情報をユーザ２１に報知する必要がないものとして判断する。そしてＣＰＵ１３は、メインアンテナ２による基地局信号の電界レベル表示を行うための指令を表示部５に出力する。表示部５は、ＣＰＵ１３からの電界レベル表示指令を受け取って、図１（ｂ）に示すように電界レベルの表示２２を行う（図３のステップＳ５）。なお図１（ｂ）の表示部５に表示した符号２３は電池の残量を示す表示である。
【００５４】
ＣＰＵ１３は検知閾値Ｔ２と差分情報Ｄ１，Ｄ２とを比較した結果、差分情報Ｄ１，Ｄ２が検知閾値Ｔ２より小さい場合には（図３のステップＳ４，ＹＥＳ、図４（ｃ）のＣ４）、基地局信号の到来方向の情報をユーザ２１に報知する必要があるとして判断する。さらにＣＰＵ１３は、メモリ１４に記憶されている検知アンテナの指向性の方向情報を読み出す。そして、ＣＰＵ１３は、読み出したアンテナ指向性の方向情報に基づいて基地局信号の到来方向を特定する。
【００５５】
図４（ａ）の場合、検知アンテナ３に対するメインアンテナ２の受信レベル２ａ´の低下率が小さく、図（ｂ）の場合、検知アンテナ４に対するメインアンテナ２の受信レベル２ａ´の低下率が大きい。したがってＣＰＵ１３は、ステップＳ２，Ｓ３で演算した差分情報Ｄ１，Ｄ２と、検知アンテナ３の指向性の方向は携帯電話本体１の左方向であること、他方の検知アンテナ４の指向性の方向は携帯電話本体１の右方向であることの情報に基づいて、メインアンテナ２が受信感度を低下することなく受信することができる基地局信号の到来方向が図６に示す携帯電話本体１の左方向であると判定する。ＣＰＵ１３は、この判定結果をメモリ１４に記憶させる。
【００５６】
そしてＣＰＵ１３は、基地局信号の到来方向の情報を表示部５及び周辺制御装置１５に出力する。表示部５はＣＰＵ１３からの情報を得て、基地局信号の到来方向の情報２４を表示する。周辺制御装置１５はＣＰＵ１３からの情報を得て、バイブレータ１６及びスピーカ１７に報知信号を出力する。バイブレータ１６は、周辺制御装置１５からの報知信号を受け取ると、携帯電話本体１を振動させる。スピーカ１７は、周辺制御装置１５からの報知信号を受け取ると、報知用の音声を発する。
【００５７】
ユーザ２１は、表示部５による情報２４の表示，バイブレータ１６による振動，スピーカ１７による音声で、携帯電話機の向き、すなわち基地局から発信される信号に対するメインアンテナ２の向きを変える必要があることを理解する。ユーザ２１は図５に示すように、自分自身が回転して携帯電話機の向きを変更して、基地局に対するメインアンテナ２の向きを変更する。
【００５８】
ユーザ２１が携帯電話機の向きを変える過程においても、ＣＰＵ１３は図３に示す処理を行い、携帯電話本体１に内蔵したメインアンテナ２の向きが図６に示す基地局２０４からの電波到来方向に適合した時点で、表示部５及び周辺制御装置１５に対する信号の出力を停止する。
【００５９】
ユーザ２１は、表示部５による情報２４の表示，バイブレータ１６による振動，スピーカ１７による音声が停止した位置で図６に示す基地局２０４との間で通信を行う。
【００６０】
この場合、ＣＰＵ１３は、基地局信号の到来方向情報に付加して、メインアンテナ２の受信レベル情報を表示部５及び周辺制御装置１５に出力するようにしてもよい。表示部５，バイブレータ１６，スピーカ１７は周辺制御装置１５から付加して出力される受信レベル情報を加味して報知を行うことにより、その報知情報に基づいて、ユーザ２１は携帯電話本体１の向きを変更している度合を把握することができる。
【００６１】
上述した実施形態では、メインアンテナ２と検知アンテナ３，４とを切換スイッチ２２で切換えて、メインアンテナ２の受信レベルの判定を行うようにしたが、これに限られるものではない。図７及び図８に示すように構成を変更してもよいものである。
【００６２】
図７に示す実施形態は、メインアンテナ２を送受信部９に接続し、送受信部９をベースバンドLSI１２に直接接続している。ベースバンドLSI１２は送受信部９からの受信信号を復調し、その復調信号をメモリ１４に出力する。メモリ１４は、バースバンドLSI１２からの復調信号を記憶する。さらに２つの検知アンテナ３，４をそれぞれ受信部１０，１１に個々に接続している。そして、２台の受信部１０，１１を検波器２５に接続している。検波器２５は、各受信部１０，１１からの受信信号を復調し、その復調信号をＣＰＵ１３の制御の下にメモリ１４に出力している。メモリ１４は、検波器２５からの復調信号を記憶している。
【００６３】
そして、ＣＰＵ１３は、メモリ１４に記憶された情報を読み出して、上述した実施形態と同様に受信レベルの監視を行う。
【００６４】
図８に示す実施形態は、切換スイッチ２２により、１台の送受信部９にメインアンテナ２，検知アンテナ３，４を選択して接続する。送受信部９はベースバンドLSI１２に直接接続している。ベースバンドLSI１２は送受信部９から出力されるメインアンテナ２、検知アンテナ３，４からの受信信号を復調し、その復調信号をメモリ１４に出力する。メモリ１４は、バースバンドLSI１２からの復調信号を記憶する。
【００６５】
そして、ＣＰＵ１３は、メモリ１４に記憶された情報を読み出して、上述した実施形態と同様に受信レベルの監視を行う。
【００６６】
図８に示す実施形態では、前記メイン受信部及び前記サブ受信部は、送受信部９により構成される。
【００６７】
図８に示す実施形態では、送受信部９を３つのアンテナ２，３，４に共通に使用しているため、受信部の台数を減らすことができ、携帯電話本体１の小型化を容易に実現することができる。
【産業上の利用可能性】
【００６８】
以上説明したように本発明によれば、検知アンテナでの受信感度のレベル判定を行って、通信品質が劣化する場合に、その通信を行う前にユーザに報知し、ユーザに携帯電話機の向きを変更することをユーザに通知することができる。
【００６９】
ユーザは、携帯電話機からの通知を受けて、携帯電話機の向きを良好な電波到来方向に変更することにより、メインアンテナでの受信感度を良好な状態に保って通信を行うことができ、電波環境が袋小路の場合にも通信品質を保ったままで通信を行うことができる。
【図面の簡単な説明】
【００７０】
【図１】図１（ａ）は、本発明の一実施形態に係る携帯端末を示す正面図、図１（ｂ）は表示部による表示を示す図である。
【図２】図２は、本発明に係る携帯端末の構成を示す構成図である。
【図３】図３は、本発明に係る携帯端末の動作を示すフローチャートである。
【図４】図４(ａ)，(ｂ)は、メインアンテナと検知アンテナとの受信レベルの変動を示す図、図４（ｃ）は、閾値とメモリに記憶された情報との関係を示す図である。
【図５】図５（ａ）は、ユーザが携帯端末の向きを変更している状態を示す平面図、図５（ｂ）は、検知アンテナの指向性の方向を示す図である。
【図６】図６は、電波環境が袋小路である場合を示す図である。
【図７】図７は、本発明の他の実施形態に係る携帯端末の構成を示す構成図である。
【図８】図８は、本発明の他の実施形態に係る携帯端末の構成を示す構成図である。
【符号の説明】
【００７１】
１  携帯電話本体
２  メインアンテナ
３，４  検知アンテナ
５  表示部
９  送受信部
１０，１１  受信部
１２  ベースバンドLSI
１３  ＣＰＵ
１４  メモリ
１５  周辺制御装置
１６  バイブレータ
１７  スピーカ
【図１】
2006166363.tif 000003
【図２】
2006166363.tif 000004
【図３】
2006166363.tif 000005
【図４】
2006166363.tif 000006
【図５】
2006166363.tif 000007
【図６】
2006166363.tif 000008
【図７】
2006166363.tif 000009
【図８】
2006166363.tif 000010